(57)【特許請求の範囲】
【請求項１】
位置が固定された複数の操作スイッチを有する車室内操作装置であって、
前記複数の操作スイッチのそれぞれについて、操作された操作頻度を記憶する操作頻度記憶手段（９）と、
前記操作頻度記憶手段（９）に記憶された前記操作頻度に基づいて、前記複数の操作スイッチの表示を変化させるスイッチ表示制御手段（８）とを備え、
スイッチ表示制御手段（８）は、前記操作頻度記憶手段（９）に記憶された前記操作頻度に基づいて、前記複数の操作スイッチの色調あるいは色相を変化させて表示することを特徴とする車室内操作装置。
【請求項２】
請求項１に記載の車室内操作装置を備えることを特徴とするナビゲーション装置。
【発明の詳細な説明】
【０００１】
【発明の属する技術分野】
本発明は、車室内において運転者が操作する車室内操作スイッチに関する。
【０００２】
【従来の技術】
従来より、例えば車両に搭載されるナビゲーション装置では、各種機能を実現するために各種操作スイッチが設けられている。
【０００３】
【発明が解決しようとする課題】
しかしながら、スイッチ操作者によってナビゲーション装置の機能の中で頻繁に使用する機能は決まっていることが多く、操作者によって頻繁に操作されるスイッチは固定されている。ところが、現状ではスイッチには視覚的な区別は行われていない。このため、操作者は自分がよく操作するスイッチを探すのに時間がかかることとなり、操作者が望む機能がなかなか実行し得ないという問題があった。
【０００４】
そこで本発明は、上記点に鑑み、車室内操作スイッチにおいて、スイッチ操作者が自分が頻繁に使用するスイッチを短時間で認識できるようにすることを目的とする。
【０００５】
【課題を解決するための手段】
上記目的を達成するため、請求項１に記載の発明では、位置が固定された複数の操作スイッチを有する車室内操作装置であって、複数の操作スイッチのそれぞれについて、操作された操作頻度を記憶する操作頻度記憶手段（９）と、操作頻度記憶手段（９）に記憶された操作頻度に基づいて、複数の操作スイッチの表示を変化させるスイッチ表示制御手段（８）とを備え、スイッチ表示制御手段（８）は、前記操作頻度記憶手段（９）に記憶された前記操作頻度に基づいて、前記複数の操作スイッチの色調あるいは色相を変化させて表示することを特徴としている。
【０００６】
このように個々のユーザによる操作頻度に応じてスイッチ表示を行うことで、ユーザ個人のスイッチ表示が生み出される。これにより、ユーザは自分が頻繁に操作するスイッチを視覚的に短時間で認識できるため、操作性が向上する。
【０００７】
また、操作頻度に応じてスイッチの色調あるいは色相を変化させることで、操作頻度の高いスイッチを他のスイッチから容易に識別できる。
【０００８】
また、請求項２に記載の発明のように、請求項１に記載の車室内操作装置は、運転中の操作されることのあるナビゲーション装置に好適に適用することができる。
【０００９】
なお、上記各手段の括弧内の符号は、後述する実施形態に記載の具体的手段との対応関係を示すものである。
【００１０】
【発明の実施の形態】
以下、本発明の実施形態を図１〜図４に基づいて説明する。本実施形態は、車室内操作装置をナビゲーション装置の操作スイッチに適用したものである。本実施形態のナビゲーション装置は、画面表示を切り替えることで、エアコンに関する操作（風量、吹出モード等）、カーオーディオに関する操作（音量、音源モード等）を複合的に行うことができるように構成されている。
【００１１】
図１に、本実施形態に係る車両用のナビゲーション装置の全体構成を示す。図１に示すようにナビゲーション装置は、車両の現在位置を検出するための位置検出器１を有している。この位置検出器１は、地磁気センサ２、ジャイロスコープ３、距離センサ４、ＧＰＳ受信機５から構成されている。
【００１２】
また、ナビゲーション装置は、地図記憶媒体から地図データを読み取る地図データ入力器６と、ナビゲーションに必要な各種操作を行うための操作スイッチ群７と、ナビゲーションに必要な各種処理を実行する制御回路８と、例えばハードディスクからなる記憶装置９、地図等の表示を行う表示装置１０と、リモコン１２からの信号を受信するリモコンセンサ１１とを備えている。
【００１３】
制御回路８では、操作頻度に応じたスイッチ表示制御が行われ、記憶装置９には、ナビゲーション装置に設けられている各操作スイッチの操作者（以下、ユーザと称する）による操作頻度（操作回数）が記憶される。また、リモコン１２はＬＥＤ受光部のような信号受信部を備えており、ナビゲーション本体から送信される表示設定信号を受信できるように構成されている。ナビゲーション本体とリモコン１２との間の通信は、例えば赤外線通信を用いることができ、あるいは無線通信（例えばブルーツゥース）を用いることもできる。
【００１４】
図２、図４は本実施形態のナビゲーション装置の画面表示例を示す。図２、図４に示すように、ナビゲーション装置の表示装置１０は、主に枠部１０１と画面部１０２とから構成されている。枠部１０２にはメカニカルなノブスイッチ１０３とメカニカルなファンクションスイッチ１０４が設けられている。これらノブスイッチ１０３、ファンクションスイッチ１０４をパネルスイッチとも称する。ノブスイッチ１０３にてナビゲーション操作、エアコン操作等の操作系を切り替えることができ、ファンクションスイッチ１０４にて各操作系における詳細な機能を選択することができるように構成されている。
【００１５】
ノブスイッチ１０３およびファンクションスイッチ１０４は、それぞれ赤色ＬＥＤ、青色ＬＥＤ、緑色ＬＥＤを内蔵している。各ＬＥＤのオンデューティ比の時間を調整することにより、各スイッチ１０３、１０４を任意の色相（色合い）あるいは色調（トーン）で表示することができるように構成されている。同様に、図１で示したリモコン１２のスイッチも任意の色相あるいは色調で表示できるように構成されている。
【００１６】
ユーザは、スイッチ表示を任意に設定することができる。このユーザによるスイッチ表示設定は、任意のタイミングで行うことができるものとする。なお、以下のスイッチ表示設定は記憶装置９に記憶される。
【００１７】
スイッチ表示設定は、図２に示すように各種スイッチを表示装置１０の画面部１０２に表示させて行う。例えばリモコン１２であれば画面上にリモコン図形１２ａを表示し、ノブスイッチ１０３であればスイッチ近傍の画面上にスイッチ図形１０３ａを表示し、ファンクションスイッチ１０４であれば元々備えている機能情報表示部１０４ａを利用する。
【００１８】
例えば、トーン表示が可能なリモコン１２の場合（例えば液晶を用いたリモコン）には、操作頻度の高いスイッチを濃く表示する等により、操作回数に応じてトーン（色調）を変化させてスイッチ表示することができる。また、トーン表示ができないリモコン１２の場合には、操作頻度の高いスイッチを目立つ色で表示することにより、操作回数に応じて色合い（色相）を変化させてスイッチ表示することもできる。また、スイッチの輝度を変更したり、点滅させることもできる。
【００１９】
また、スイッチ操作頻度に応じて例えば上位３番までのスイッチだけを、他のスイッチから色調あるいは色相を変えて表示するように設定することもできる。さらに、操作回数１番のスイッチは、実際に操作回数が１番多いスイッチとしてもいいし、あるいは最新に操作されたスイッチを１番に設定することもできる。
【００２０】
次に、本実施形態のナビゲーション装置の画面表示方法を図３のフローチャートに基づいて説明する。
【００２１】
まず運転者は、ナビゲーション装置を使用するユーザ名を選択する（ステップＳ１０）。これによりナビゲーション装置では、ユーザ毎に異なるスイッチ操作情報を記憶する。次に、運転者はスイッチの操作頻度に応じたスイッチ表示を行うか否かを選択し（ステップＳ１１）、操作頻度に応じたスイッチ表示を行う場合にはスイッチ表示を頻度表示モードとし（ステップＳ１２）、操作頻度に応じたスイッチ表示を行わない場合には通常表示モードとする（ステップＳ１３）。
【００２２】
次に、スイッチ表示が頻度表示モードであるか否かを判定する（ステップＳ１４）。この結果、頻度表示モードであればスイッチを操作頻度に応じてスイッチ表示する（ステップＳ１５）。例えば、トーン表示可能なリモコン１２であり、ユーザがスイッチ表示設定でトーン表示を設定していれば、操作頻度が高いスイッチは濃く表示され、操作頻度に低いスイッチは薄く表示される。リモコン１２は、ナビゲーション本体から送信されるトーン表示情報に従ってスイッチ表示する。また、トーン表示できないリモコン１２の場合には、スイッチの色合いや輝度を変更したり、点滅させたりすることができる。一方、頻度表示モードでなければ、操作頻度に応じて表示を変更しない通常のスイッチ表示を行う（ステップＳ１６）。
【００２３】
次に、ユーザによるスイッチの操作を待つ（ステップＳ１７）。ユーザによるスイッチ操作があれば、操作されたスイッチの操作回数を１増加させる（ステップＳ１８）。以下、上記ステップＳ１４〜Ｓ１８を繰り返し行う。
【００２４】
以上、本実施形態のように個々のユーザによる操作頻度に応じてスイッチ表示を行うことで、ユーザ個人のスイッチ表示が生み出される。これにより、ユーザは自分が頻繁に操作するスイッチを視覚的に短時間で認識できるため、操作性が向上する。これは、運転中操作する必要のあるスイッチに特に有効である。また、停車中にのみ操作可能なスイッチであっても、スイッチ操作のための停車時間を短くすることができる。
【００２５】
また、スイッチの頻度表示に基づいて頻繁に使用する機能を把握し、複数のスイッチ操作を予め登録して１回のスイッチ操作で行うことができるようにするショートカットキーの設定をすることもできる。
【００２６】
（他の実施形態）
なお、本発明は、画面部１０２上に位置を固定して表示されたスイッチ画面に直接触れてスイッチ操作するタッチパネルスイッチに適用することもできる。この場合には、色相や色調を変化させるだけでなく、操作頻度に応じて例えば表示されるスイッチの大きさや形状を変化させることもできる。また、このようなタッチパネルスイッチであればユーザ個人の画面意匠を任意に作成することができ、例えば操作頻度を参考にして未使用スイッチの表示を削除することができる。
【００２７】
また、上記実施形態では、操作頻度に応じてスイッチ表示の色相、色調を変化させたが、これに加えて、スイッチに操作回数を表示させるように構成してもよい。
【００２８】
また、上記実施形態では、頻度表示をナビゲーション装置のスイッチ表示に適用したが、例えば図４に示すようなナビゲーション装置の目的地設定に用いられる目的地登録リストにも適用できる。この場合には、予め登録された目的地登録リスト一覧の中で、ユーザによる選択頻度の高い目的地を他の目的地から識別できるように色調や色相等を変化させて表示する。
【００２９】
また、上記実施形態では、本発明の操作装置をナビゲーション装置に適用したが、これに限らず、本発明の操作装置は車室内にて運転者が操作するスイッチ全般に用いることができる。
【図面の簡単な説明】
【図１】上記実施形態に係る車両用のナビゲーション装置の全体構成を示す図である。
【図２】図１のナビゲーション装置における表示装置のスイッチ表示設定時の拡大図である。
【図３】上記実施形態のナビゲーション装置のスイッチ表示制御を示すフローチャートである。
【図４】図１のナビゲーション装置における表示装置の目的地登録リスト表示時の拡大図である。
【符号の説明】
１…位置検出器、２…地磁気センサ、３…ジャイロスコープ、４…距離センサ、５…ＧＰＳ受信機、６…地図データ入力器、７…操作スイッチ群、８…制御回路、９…記憶装置、１０…表示装置、１１…リモコンセンサ、１２…リモコン。
【図１】
0003893906.tif 000002
【図２】
0003893906.tif 000003
【図３】
0003893906.tif 000004
【図４】
0003893906.tif 000005